(57)【要約】【課題】手早く、折り目の整った美麗な包装用紙箱を組み立てることができる方法を提供する。【解決手段】基面部の四辺に側面部及びフラップが延成され、基面部の角において側面部同士がコーナ部で繋がれた包装紙について、基面部を底側として、小フラップに対応する側面部が４５度超９０度未満傾斜するように側面部とコーナ部に予め折り癖を付けると共に、当該側面部に対して少なくとも小フラップは、例えば４５度超９０度未満傾斜するようにフラップにも予め折り癖を付ける第一手順と、大フラップに対応する側面部が基面部に対して直立するように大フラップを小フラップの上に折り重ねる第二手順と、折り重ねた大フラップを閉止する第三手順とによって包装用紙箱を組み立てる。【選択図】図３
2014125245.tif 000002
【特許請求の範囲】
【請求項１】
矩形の基面部の四周囲に、内容物の厚みに対応した幅の側面部と、前記基面部の角において前記側面部同士を繋ぐコーナ部とが山折り線を介して延成され、前記コーナ部それぞれには、前記基面部の角を起点として該コーナ部を三角形状に折り込む谷折り線が形成される一方、前記側面部それぞれには、別の山折り線を介してフラップが連続して延成され、該フラップのうち対向する一組は互いに折り重なる幅を有した大フラップを形成すると共に、他組は前記大フラップの下に差し込まれる小フラップを形成し、前記側面部及び前記フラップが一定角度で折り癖を保持する包装紙を直方体の紙箱に組み立てる方法であって、
前記基面部を底側として、予め、前記側面部、前記コーナ部、前記大フラップ、及び小フラップに、前記側面部が直立する過程で前記小フラップが前記大フラップの下方に潜り込む角度で折り癖を付ける第一手順と、
前記大フラップに対応する側面部が基面部に対して直立するように前記大フラップを小フラップの上に折り重ねる第二手順と、
前記折り重ねた大フラップを閉止する第三手順とからなることを特徴とした包装用紙箱の組立方法。
【請求項２】
コーナ部の谷折り線は、予めミシン目によって形成した請求項１記載の包装用紙箱の組立方法。
【請求項３】
コーナ部の谷折り線は、基面部の角から一定長だけ、予め切込みによって形成した請求項１または２記載の包装用紙箱の組立方法。
【請求項４】
第三手順は、環状のゴム紐を装着して行う請求項１、２または３記載の包装用紙箱の組立方法。
【請求項５】
基面部は長方形であり、その長辺に対応して大フラップを形成すると共に、短辺に対応して小フラップを形成した請求項１から４のうち何れか一項記載の包装用紙箱の組立方法。
【請求項６】
包装物は棹物菓子であり、第一手順と第二手順の間に当該棹物菓子を基面部に載せる手順を有した請求項５記載の包装用紙箱の組立方法。
【請求項７】
請求項６記載の包装用紙箱の組立方法により包装したことを特徴とする棹物菓子。
【発明の詳細な説明】
【技術分野】
【０００１】
この発明は、例えば進物用羊羹の商品パッケージとして使用する包装用紙箱の組立方法に係り、予め所定の形状に折り癖を付けておくことで、手早く、折り目の整った美麗な包装用紙箱を組み立てることができる方法に関する。
【背景技術】
【０００２】
羊羹を包装するに当たっては、まず練り生地を特許文献１に開示されているような易開封性のガゼット袋に封入し、固め終わったものを保形用の箱に収容することが一般的である。そして、進物用であれば、前記の保形箱をさらに、商品名等が印刷された包装紙で包装し、これを一棹（さお）という単位で販売される。二棹以上を詰め合わせる場合は、さらに棹数に応じた大きさの包装箱が用意される。
【０００３】
上記包装紙は、進物用羊羹において商品名や装飾等が施された、いわゆる当該商品の顔となる部分（商品パッケージ）であり、こうした商品の識別を目的としないラッピング包装とは区別される。また、進物用羊羹における包装紙は、それ単独で紙箱として機能する厚手のものが選択される。なぜなら、当該包装紙で折られた紙箱は、進物用羊羹の品等を担保するため、折り目が整った化粧箱としての機能が要求されるからである。また、このように折り目が整った紙箱とすることで、複数の棹を詰め合わせる際、棹同士を隙間なく整然と包装箱に詰め込むこともできる。
【０００４】
このような紙箱を形成する最も簡易なものとして、図７に示した展開図の包装紙が想定される。即ち、図７の包装紙は、矩形の基面部１０の四辺それぞれに側面部１１を設け、各側面部１１にフラップ１２が延成されている。これら部位は、図上、点線で示した折り線によって区画されている。基面部１０の表面には商品名や適宜な装飾が印刷され、組み立てる際は、印刷面を下にして基面部１０に羊羹を収容した保形用の箱を載せ、この保形用の箱を中箱として各側面部１１を順次直立に折り立て、最後にフラップ１２を内向き水平に折る。ここで長辺側のフラップ（図面上、左右のフラップ）は、中箱の上面で互いに重なり合い、その下に短辺側のフラップ（図面上、上下のフラップ）を差し込むことで、中箱全体を密封することができる。
【０００５】
このような紙箱によれば、簡易包装という社会的要請に適うが、折り目が整った正確な直方体に仕上げるには手間や経験が必要であった。即ち、図７の包装紙では、側面部１１を垂直に折り立てる際、作業が行いやすいように、通常、折り立てようとする側面部１１が手前に来るように、全体を９０度ごとに一々回転させるが、側面部１１が互いに独立しているため、側面部１１を折り立てている間に、先に折り立てた側面部１１が展開しようとし、これを指等で抑えながら、次の側面部１１を折り立てなければならなかった。これはフラップ１２を水平に折るときも同様であるが、フラップ１２を折る場合は、側面部１１の展開も制止しながらの作業となるため、非常に手間であり、折り目が整った美麗な紙箱に仕上げるには経験が必要であった。
【０００６】
なお、セロハンテープやステープラにより側面部１１等を固定すれば、組み立て作業が楽になるが、化粧箱としての機能が阻害されるので好ましくない。また、別の方法として、先に短辺側の片方のフラップだけを開放した紙箱に形成しておき、後から、中箱を挿入するという方法も考えられるが、妥当ではない。中箱を挿入する際、紙箱内部に閉じ込んである他方の短辺側フラップに中箱がつっかえて、当該中箱を挿入しづらいからである。また、最後に開口を閉じる際、開放した上記短辺側フラップを無理に湾曲させて開口に差し込まなければならないが、このとき開放フラップ等に不用意な折り目がついたり、傷を付けたりすることが多いからである。さらに、これら方法であると、内容物を取り出す際、セロハンテープ等を剥がしたり、短辺側フラップを引き抜く手間があり、紙箱が開封しづらくなる。
【０００７】
一方、特許文献２・３には、基面部の四隅において、長辺と短辺の側面部同士を連結し、箱を形成する際に、箱内部に三角形に折り畳まれるコーナ部（特許文献２において補助側板部、特許文献３において連結フラップ）を有した紙箱が開示されている。当該構成の紙箱によれば、図７のものと同じ手順で組み立てられるが、長辺側の側面部の折り立て状態を維持しておけば、コーナ部に引っ張られて、短辺側の側面部の折り立て状態も維持される。したがって、フラップを内向きに折り曲げる際、側面部の展開を制止する手間がなくなる分、組み立て作業が楽になる。
【先行技術文献】
【特許文献】
【０００８】
【特許文献１】特開２０１０−２２８７９１号公報
【特許文献２】実開昭６２−４８９３１号公報
【特許文献３】特開２００３−２２１０３１号公報
【発明の概要】
【発明が解決しようとする課題】
【０００９】
特許文献２には、紙箱の組立手順として、側板部（４、６）とフラップ（第一覆片５、第二覆片７ａ・７ｂ）に折り目線を付けておき（第一手順）、コーナ部（補助側板部１０）を内方に向けて立設させる（第二手順）ことが記載されている。第二手順でコーナ部を立設させると、これに伴って４つの側板部が起立して開蓋状態の箱ができ、その中に物品を収納した後（第三手順）、順次、４つのフラップ（第一覆片５、第二覆片７ａ・７ｂ）を内向きに折り曲げ（第四手順）、最後に長辺側フラップの一方（第二覆辺７ａ）に設けた舌辺８を他方の長辺側フラップ（第二覆辺７ｂ）の折り目に設けた切込み孔９に挿入する（第五手順）ことで箱を閉塞することが開示されている。
【００１０】
確かに、このような手順であっても、コーナ部付きの包装紙を箱形に組み立てることができる。しかし、第四手順においては、第三手順で側板部を起立させた後、この状態で４つのフラップを一つずつ内向きに折り曲げなければならず、このとき側板部は起立状態にあって腰がないため、このような側板部を基部としては、フラップを美麗に折り曲げ難いという問題がある。殊、長辺側のフラップは、長手方向に均一に折り曲げることが困難である。
【００１１】
他方、特許文献３には、初期の出荷段階では、短辺側の側板部（端板５）をコーナ部（連結フラップ６）と共に基面部（底板３）に折り重ね、その際、コーナ部の側板部（側板４）と折り重なる三角形部分（６ａ）を当該側板部に接着してあり（第一手順）、これを店舗等で、前記短辺側の側板部（端板５）を外側に引き起こす（第二手順）ことが記載されている。そして、側板部を引き起こせば、コーナ部を介して、長辺側の側板部（側板４）が自動的に起立して開蓋状態の箱が形成され、この箱に物品を収容し（第三手順）、長辺側のフラップ（蓋片７）を閉じ合わせ（第四手順）、最後に荷造り用バンド（１０）を固縛する（第五手順）ことによって、箱を閉蓋するものとされている。
【００１２】
この特許文献３の場合、短辺側の側板部（端板５）にはフラップがなく、したがって、完成した箱は、その部分に隙間が生じる。これは内容物を食品とする場合は好ましいものではなく、進物用の菓子を包装するのであれば尚更である。
【００１３】
しかも、特許文献３の紙箱は、第一手順でコーナ部を接着するという手間と時間が必要である。そのうえ、第二手順においては、短辺側の側板部（端板５）を引き起こして長辺側の側板部（側板４）を起立させるにしても、当該長辺側の側板部（側板４）の中央には起立に必要な力が加わりにくいため、進物用化粧箱に耐え得るような美麗さを実現するには、長辺側の側板部（側板４）を外側から内向きに押し付けるという第二手順を補助する手段が必要となる。そうすると、側板部は短辺側と長辺側で反対方向に力を加えることになって、組み立て作業が煩雑であり、コーナ部付き紙箱を手早く組み立てることができなくなる。
【００１４】
本発明は上述した課題を解決するためになされたもので、その目的とするところは、手早く、折り目の整った美麗な包装用紙箱を組み立てることができる方法を提供することである。
【課題を解決するための手段】
【００１５】
上述した目的を達成するために本発明では、矩形の基面部の四周囲に、内容物の厚みに対応した幅の側面部と、前記基面部の角において前記側面部同士を繋ぐコーナ部とが山折り線を介して延成され、前記コーナ部それぞれには、組立時に前記基面部の角を起点として該コーナ部を三角形状に折り込む谷折り線が形成される一方、前記側面部それぞれには、別の山折り線を介してフラップが連続して延成され、該フラップのうち対向する一組は組立時に互いに折り重なる延成長の大フラップを形成すると共に、他組は組立時に前記大フラップの下に差し込まれる小フラップを形成してなる。なお、本発明において「山折り」「谷折り」は、紙箱を、その内部からではなく、外から見たときの折り曲げ方向をいう。
【００１６】
また、本発明における包装紙は、前記側面部及び前記フラップが一定角度で折り癖を保持する厚みまたは／及び強度を有する。これは、その紙箱が単独で保形性を有することを意味し、内容物の存在を前提として、当該内容物を頼りに包装作業が行われる単なるラッピングとは区別される。
【００１７】
そして、上記包装紙を用いて本発明では、前記基面部を底側として、予め、前記側面部、前記コーナ部、前記大フラップ、及び小フラップそれぞれに、前記側面部が直立する過程で前記小フラップが前記大フラップの下方に潜り込む角度で折り癖を付ける第一手順と、前記大フラップに対応する側面部が直立するように前記大フラップを小フラップの上に折り重ねる第二手順と、前記折り重ねた大フラップを閉止する第三手順とから、直方体の包装用紙箱の組立方法を構成した。
【００１８】
第一手順は、第二手順を実行するための予備作業である。折り癖は全ての部位に施すのであるが、特に重要なのは、小フラップと、これに対応する側面部の折り癖角度である。つまり、少なくともこれらの部位については、大フラップ側の側面部が展開状態から直立状態に移行する過程で、小フラップが大フラップに先行して水平に近づくように折り癖を付ける必要がある。ここで折り癖の角度は、全て外角として説明する。
【００１９】
第一手順に係る折り癖の角度は、ある程度の範囲で許容され、包装紙の紙質や小フラップ・大フラップの大きさをも考慮して決定されるが、一応の目安を説明すると、当該角度が大きい程、第二手順における折り重ねの確実性が増す。反対に、折り癖の角度が小さい程、手早く第一手順を完了できる。しかも、折り癖角度が小さい包装は、扁平に近いから、この状態で嵩張らず保管することも可能となる。ここでいう角度は全て外角であるが、特に重要なのは、小フラップとその側面部の折り癖角度である。これら部位の折り癖角度が３０度を下回る場合、第二手順において大フラップの操作による側面部の起立時に、小フラップ側の側面部が起立せず、逆に外側に展開してしまう。また、４５度丁度であると、力を加える部分によっては側面部を安定して起立動作に移行できないことが想定される。一方、９０度であれば、それは既に直方体の紙箱が完成することを意味するから、本発明の第一手順には含まない。９０度を超える折り癖は、小フラップとこれに対応する側面部については本発明の第一手順に含むが、大フラップやこれに対応する側面部については含まない。なぜなら、大フラップを９０度超に折り曲げると小フラップと干渉するからである。また、大フラップ側の側面部については、コーナ部の存在によって、小フラップ側の側面部と同時に９０度超に折り曲げることができないからである。より正確には、このような折り癖を付けると、コーナ部の両脇の山折り線が谷折り線に変化し、コーナ部が予定どおりに機能しなくなる。
【００２０】
このようなことから、各部位の折り癖角度は、特に小フラップとその側面部に関しては５０度前後が適当である。なお、本発明は、基本的には手作業による組立を想定しているが、手順の一部または全部を機械によって行うことも含む。
【００２１】
第二手順では、大フラップを操作することで、実質的に側面部を基面部に対して直立状態に移行する。この結果、小フラップに対応する側面部をも連動して起立させるという作用を行う。つまり、上記構成の包装紙の場合、一組の側面部と他組の側面部とがコーナ部によって繋がれているため、一方の組の側面部を直立状態に移行すれば、その操作量に応じてコーナ部が徐々に内側への折込み度合いを深めていき、これに連動して（引き寄せられて）、他組の側面部が自動的に直立するのである。折込み度合いが深まるとは、コーナ部が谷折り線で三角形状に半分に折り畳まれる際、当該三角形状の片の間隔が狭まっていくことを意味する。このように小フラップ側の側面部が起立すれば、これに延成した小フラップも連動して内向きの水平状態に近づき、結果、大フラップの下に潜り込む。
【００２２】
上記原理によれば、コーナ部も一方組の側面部の直立操作時に、これに連動して容易に内側に折り込まれるものであることが好ましい。言い換えれば、コーナ部は谷折り線によって二つに半折りされる際、一種のバネとして機能し、その反発力が小フラップ側の側面部の起立を阻害しないように、当該反発力を低減しておくことが好ましい。そこで、コーナ部の折込みを容易にするための手段として、本発明では、谷折り線の折曲容易性に着目し、第一手順の前に当該谷折り線を予めミシン目によって形成することとした。
【００２３】
さらに、コーナ部は基面部の角で最も折り畳みの応力が大きくなるため、その谷折り線の基面部の角から一定長を予め切込みによって形成するという手段を用いる。これによって、コーナ部の折込みの容易性が高まり、上記ミシン目と併用した場合、最も前記容易性を高めることができる。
【００２４】
最終の第三手順では、第二手順において折り重ねた大フラップを閉止する。つまり、本発明では、大フラップの展開を閉止するだけで、小フラップの展開も抑止されるから、六面全部が閉じた紙箱を得ることができる。特に、大フラップは折り重なっており、しかも、小フラップによって当該大フラップの折り重ね側の辺も閉じることから、密閉性の高い紙箱を得ることができる。当該第三手順は、具体的には大フラップをセロハンテープ等で固定することが該当するが、環状のゴム紐を装着して行うことが好ましい。セロハンテープ等の固定手段を採用した場合、箱から内容物を取り出すには、セロハンテープを剥がして大フラップを開くか、小フラップを引き抜くしかないが、環状のゴム紐であれば、これを取り外す（抜き外す）だけで、大フラップが応力によって展開し、ここから内容物を取り出すことができるからである。
【００２５】
本発明の方法で組み立てられる紙箱は直方体であるが、立方体を含み、どのような外形とするかは内容物の形状等に応じて決定することができる。また、基面部を正方形とした場合は、側面部の長さも同じなるため、大フラップと小フラップを優劣なく、何れの側面部にも形成することができる。
【００２６】
これに対して、基面部を長方形として、長尺な紙箱を組み立てる場合は、前記基面部の長辺に対応して大フラップを構成すると共に、短辺に対応して小フラップを構成すること好ましい。第二手順の確実性を担保するためである。
【００２７】
このような長尺な紙箱は、羊羹等の所謂棹物菓子を内容物とすることができ、この場合、第一手順と第二手順の間に当該棹物菓子を基面部に載せる手順を加えるだけで、以降、第二手順・第三手順を実行することによって、紙箱の組み立ててと共に、棹物菓子の包装も完了させることができる。つまり、これで一棹の商品が完成する。
【発明の効果】
【００２８】
本発明では、第一手順で側面部とフラップに所定の折り癖を付けておくことで、第二手順では大フラップを折り重ねるだけで、全ての側面部が自動的に直立すると同時に、小フラップを内向きに水平な状態に移行させることができる。また、その包装紙は、完全な紙箱を構成する前に側面部等の折り癖を保持するものであるため、単なるラッピングとは異なり、折り目がくっきりし、また持続する強度を有した紙箱となり、本発明では、このような紙箱を手早く組み立てることができる。
【００２９】
さらに、本発明では、第三手順で環状のゴム紐を装着して最終工程とすることから、組み立て作業が極めて楽であり、しかも、開封作業もゴム紐を外すだけで済む。
【図面の簡単な説明】
【００３０】
【図１】本発明の方法を適用する包装用紙箱の一実施形態を示した展開図
【図２】内容物の一例として進物用羊羹の包装態様を説明した説明図
【図３】本発明の方法の第一手順を示した包装用紙箱の斜視図
【図４】本発明の方法の第二手順の要領を示した包装用紙箱の斜視図
【図５】本発明の方法の第二手順の終了時を示した包装用紙箱の斜視図
【図６】本発明の方法の第三手順により包装が完了した棹物菓子の斜視図
【図７】包装用紙箱を組み立てる最も簡易な包装紙の展開図
【発明を実施するための形態】
【００３１】
以下、本発明の好ましい実施の形態を添付した図面に従って説明する。図１は、本発明の方法を適用する包装紙の一例を示した展開図であり、進物用羊羹を棹単位で包装する包装用紙箱についての実施形態を示したものである。図中、１は縦横の寸法を羊羹に合わせた長方形の基面部、２は該基面部１の周囲に羊羹の厚み（高さ）に応じた幅だけ延成された環状延成部である。即ち、環状延成部２は基面部１の周囲を連続して一周するように形成されている。なお、この包装用紙箱における寸法は、基面部１の長辺が２１５ｍｍ、短辺が５５ｍｍ程度、また環状延成部２の幅が３５ｍｍ程度である。
【００３２】
基面部１と環状延成部２の境界には、基面部１の表面（外面）から見て、山折り線３ａ・３ｂを基面部１の四辺に沿って縦横に形成している。これら山折り線３ａ・３ｂは、基面部１の四辺だけではなく、基面部１の角１ａから環状延成部２の外縁まで延長して形成され、結果、全体として井桁状となっている。そして、当該山折り線３ａ・３ｂの延長部分によって前記環状延成部２は、基面部１の四辺に連続する側面部４ａ・４ｂと、基面部１の角１ａにおいて側面部４ａ・４ｂ同士を繋ぐ正方形状のコーナ部５とに区画している。
【００３３】
コーナ部５には、基面部１の角１ａを起点として、その対角線上に谷折り線６を形成している。この谷折り線６は、本実施形態の場合、コーナ部５の折込み容易性を高めるために、ミシン目６ａで構成している。特に、コーナ部５の折込み応力が集中する基面部１の角１ａ側の内角には切込み６ｂを形成している。この切込み６ｂの長さは、包装紙の厚み等に応じて決定する。つまり、厚みが大きければ、切込み６ｂの長さを長くする。さらに、この実施形態では、切込み６ｂを設けた内角と対角関係にある開放角部５ａを丸めて円弧状としている。こうすることで、この角部５ａを直角とするよりも、コーナ部５の折込み容易性を高めることができる。
【００３４】
一方、側面部４ａ・４ｂは、基面部１の長辺・短辺に対応して、長辺側面部４ａと短辺側面部４ｂとを構成する。そして、各側面部４ａ・４ｂには、その山折り線３ａ・３ｂの反対側でこれと平行する山折り線７ａ・７ｂを介してフラップ８ａ・８ｂを延成している。言い換えれば、これらフラップ８ａ・８ｂの山折り線７ａ・７ｂは、フラップ８ａ・８ｂと側面部４ａ・４ｂそれぞれの境界に設けたということできる。
【００３５】
フラップ８ａとフラップ８ｂは、何れも包装用紙箱の組立完了時に箱を封止する蓋として機能するものであるが、フラップ８ａとフラップ８ｂとでは幅（延成長）が異なる。即ち、この実施形態の場合、長辺側面部４ａから延成する大フラップ８ａの幅を基面部１の短辺（５５ｍｍ）と同じか、やや短い程度としている。後述するように、大フラップ８ａを折り重ねた際、確実にしょうフラップ８ｂをその下に閉じ込むためであり、また、密封性や意匠性をも高めるためである。ただし、本発明における寸法は、これに限定されない。一方、短辺側面部４ｂから延成する小フラップ８ｂの幅については、具体的な寸法基準はないが、後述するように、組立完了後において大フラップ８ａの下に差し込まれた状態を維持し、人がこれを開けようとするときに、抜き出すことができる大きさとすることが好ましい。具体的には、上記寸法の基面部及び側面部に対して２７ｍｍ程度である。
【００３６】
以上が、この実施形態における包装紙の構成であるが、さらに当該包装紙は、次のような特性（紙質）を有する。即ち、当該包装紙は、側面部４ａ・４ｂとフラップ８ａ・８ｂに後述する折り癖を付けた際、当該折り癖を維持する厚み又は／及び強度を有する。このような紙は、菓子の化粧箱では特別なものではなく、むしろ、ラッピング包装の紙では薄すぎる。
【００３７】
なお、図１は、包装紙の表面（外面）を示していて、組立が完了した包装用紙箱の正面となる基面部１と、背面となる一方の大フラップ８ａには、商品名のラベルを貼付したり、保管方法等の情報を印刷することができる。この他、羊羹等の棹物菓子に特化して、包装紙の表面全体に、竹の皮を模した装飾を印刷することもある。ただし、包装紙の裏面には、こうした印刷は必要なく、無地とすることができる。
【００３８】
一方、図２は、上記構成の包装紙により組み立てられる紙箱を商品パッケージとして適用する前の羊羹の包装例を示したものである。つまり、当該包装例では、羊羹の練り生地を封入・固化したガゼット袋Ａを、厚紙からなる中箱Ｂに収容している。中箱Ｂは、専ら羊羹を外力から保護するためのものであり、進物用として採用することが望ましいものである。ただし、いわゆる自宅用であれば、簡易包装という要請に即して、中箱Ｂを省略し、上記ガゼット袋Ａを本発明の包装用紙箱に直接投入することもできる。
【００３９】
図３〜６は、上記包装例の羊羹を内容物として、包装用紙箱を組み立てる手順を図示したものである。図３は、本発明の第一手順を示したものであり、図１の展開状態にある包装紙の印刷面を下にし、基面部１を底面として４つの側面部４ａ・４ｂ及びフラップ８ａ・８ｂを所定角度折り曲げる。側面部とフラップは何れを先に折り曲げてもよいが、作業のしやすさからすると、フラップ８ａ・８ｂを先に折り曲げるほうが好ましい。また、側面部４ａ・４ｂを折り曲げるときは、必然的にコーナ部５も内側に折り込む。このような折り曲げ作業は、包装用紙箱を完成させるときと同じ作業となるが、本発明の場合は、各部位を９０度に折り曲げることなく、所定の傾斜角度α・βで折り癖を付けておくものである。
【００４０】
具体的には、短辺側面部４ｂは、基面部１の設置面から４５度超９０度未満の角度範囲αで折り癖を付けておく。また、小フラップ８ｂについても、短辺側面部４ｂに対して４５度超９０度未満の角度範囲βで折り癖を付けておく。これらの折り癖の角度α・βが大きい程、後述する第二手順での作業性が良好となるが、実際は、いずれも４６〜５５度の範囲で十分であり、図示のものはこれに即している。
【００４１】
これ以外の長辺側面部４ａや大フラップ８ａについても、折り癖を付けるのであるが、その角度は任意である。ただし、長辺側面部４ａについては、短辺側面部４ｂとコーナ部５を介して繋がっているため、当該短辺側面部４ｂを上記角度範囲で折り癖を付けるには、長辺側面部４ｂも自ずと、これに見合った角度に折り癖を付けておく必要がある。言い換えれば、長辺側面部４ａは短辺側面部４ｂの折り癖角度を保持する角度で折り癖をつければよく、両者の折り癖の角度を一致させる必要はない。
【００４２】
次に、当該折り癖が付いた半展開状態の包装紙に対して、その基面部１に図２に示した包装済み羊羹を載せ、第二手順に移る。この第二手順では、図４に示したように、一対存在する大フラップ８ａを互いに引き寄せ、基面部１の上空で折り重なるように操作する。この実施形態の場合、大フラップ８ａは基面部１と同形なので、最終的には大フラップ８ａを反対側の大フラップ８ａと完全に一致するように折り重ねる。この操作により、大フラップ８ａが延成された長辺側面部４ａは、上記折り癖の状態から直立方向に移行する。このとき、コーナ部５も谷折り線６がミシン目６ａと切込み６ｂによって折り込みやすくなっていることから、長辺側面部４ａの直立動作に追従して、徐々に箱内部に折り込まれていく。さらに、このコーナ部５の折込み動作に連動して、短辺側面部４ｂが山折り線３ａを中心として自動的に直立方向に回転する。そして、小フラップ８ｂは、短辺側面部４ｂの回転に伴い、大フラップ８ａの下方に潜り込むように姿勢を変位する。つまり、第二手順では、大フラップ８ａの折り重ね操作をきっかけに、各部位が連動し、最終的には図５に示したような紙箱が完成する。
【００４３】
なお、大フラップ８ａの操作と同時に、長辺側面部４ａを外側から内側に向かって補助的に押圧操作することが好ましい。ただし、大フラップ８ａではなく、長辺側面部４ａのみを操作すると、その後に大フラップ８ａの折り重ね操作をしなくてはならず、第二手順が実質的に二つの手順から構成されることになるため、好ましくない。言い換えれば、本発明の第二手順は、大フラップ８ａの折り重ね操作によって長辺側面部４ａを同時に直立させることを本質とするものである。このような動きを忠実なものとするには、大フラップ８ａの山折り線７ａに付けた折り癖の角部を外側から内側に押圧することが好ましい。何れにせよ、本発明では、大フラップ８ａのみを操作するだけで、他の部位の展開を抑止しつつ、箱形に組み立てることができるのである。
【００４４】
図５の状態で大フラップ８ｂから力を除去すると、当該大フラップ８ｂが展開し、各部位も図３の状態まで展開しようとする。そこで第三手順では、図６に示したように、図５の状態の紙箱に環状のゴム紐９を通し、大フラップ８ａを閉止する。そして、当該閉止後の紙箱は商品名等が印刷等された基面部１を上にして陳列等されるが、内容物の重みによっても大フラップ８ａ等の展開を抑制することができる。当然、当該紙箱を持ち上げても、大フラップ８ａはゴム紐９によって展開することがない。このように第三手順によって大フラップ８ａの展開が抑止され、正確に直方体の包装用紙箱が完成する。なお、この実施形態の形状の紙箱であれば、ゴム紐９は当該紙箱の中央に１本設けることによって、大フラップ８ａを展開しないように押さえ込むことができる。ただし、この実施形態よりも長尺な紙箱の場合は、複数本のゴム紐で大フラップを止めることもある。
【００４５】
このように、上記実施形態では、第一手順で予め所定の折り癖を付けておくことによって、第二手順では、こうした包装に熟練を有しない者でも、手早く、進物用羊羹の商品パッケージとしての包装用紙箱を組み立てることができる。そして、第三手順ではゴム紐９によって大フラップを閉止することで、包装済み棹物菓子が完成するのである。この状態でゴム紐９を取り外せば、大フラップ８ａが展開し、ほぼ図３の状態となることから、短辺フラップ８ｂを引き抜くという手間を経ず、大開口の状態で棹物菓子を容易に取り出すことができる。しかも、残りをもう一度箱に戻すときも、第二手順・第三手順によって容易に元の形に戻すことができる。
【００４６】
なお、包装物は棹物菓子に限らず、食品でいえば、固形バターやチーズの包装用紙箱としても使用することができる。また、この紙箱自身が保形性を有し、内容物に頼らずとも当該内容物を包装することができるから、内容物は直方体である必要はなく、あらゆる物品を収容することができる。
【符号の説明】
【００４７】
１  基面部
１ａ  基面部の角
２  環状延成部
３ａ・３ｂ  環状延成部の山折り線
４ａ  長辺側面部
４ｂ  短辺側面部
５  コーナ部
６  谷折り線
６ａ  ミシン目
６ｂ  切込み
７ａ・７ｂ  フラップの山折り線
８ａ  大フラップ
８ｂ  小フラップ
９  環状のゴム紐
【図１】
2014125245.tif 000003
【図２】
2014125245.tif 000004
【図３】
2014125245.tif 000005
【図４】
2014125245.tif 000006
【図５】
2014125245.tif 000007
【図６】
2014125245.tif 000008
【図７】
2014125245.tif 000009